(57)【要約】【課題】二色成形グリップ構成において、グリップ部を熱くすることなく、基板の熱をグリップ側に放熱でき、グリップの剛性があるデジタルカメラを提供すること。【解決手段】デジタルカメラで、レンズユニットから結像された被写体像を撮像する撮像手段と、前記撮像手段の背面側に設けられ、該撮像手段からの出力を画像処理する画像処理回路を有する実装基板と、前記実装基板を固定し前記実装基板からの熱を放熱する金属部材である本体シャーシと、該本体シャーシと締結された外装筺体と、前記外装筺体と締結され、ユーザーが前記外装筺体を保持するためにグリップするグリップと、該グリップの剛性を保つためのグリップ保持プレートと、を有し、前記グリップ保持プレートの第１の接続箇所では前記外装筺体のみに接続し、第２の接続箇所では前記外装筺体および前記グリップと接続する。【選択図】図４
2017102357.tif 000002
【特許請求の範囲】
【請求項１】
レンズユニットから結像された被写体像を撮像する撮像手段と、
前記撮像手段の背面側に設けられ、該撮像手段からの出力を画像処理する画像処理回路を有する実装基板と、
前記実装基板を固定し前記実装基板からの熱を放熱する金属部材である本体シャーシと、
該本体シャーシと締結された外装筺体と、
前記外装筺体と締結され、ユーザーが前記外装筺体を保持するためにグリップするグリップと、
該グリップの剛性を保つためのグリップ保持プレートと、
を有し、
前記グリップ保持プレートの第１の接続箇所では前記外装筺体のみに接続し、第２の接続箇所では前記外装筺体および前記グリップと接続することを特徴とするデジタルカメラ。
【請求項２】
前記グリップは弾性部材と樹脂部材の二色成形で構成されていることを特徴とする請求項１に記載のデジタルカメラ。
【請求項３】
前記グリップと前記外装筺体の間に断熱層となる空気層を設けたことを特徴とする請求項１又は請求項２に記載のデジタルカメラ。
【請求項４】
前記グリップ保持プレートは前記本体シャーシよりも熱伝導率の小さい材質であることを特徴とする請求項１乃至請求項３の何れか一項に記載のデジタルカメラ。
【発明の詳細な説明】
【技術分野】
【０００１】
本発明は、デジタルカメラに関し、二色成形のグリップ部を有するデジタルカメラに関する。
【背景技術】
【０００２】
レンズ交換式デジタル一眼レフカメラなどのグリップ部はハンドリング時の感触をよくするために従来からゴムなどの弾性ラバーを外装筺体に両面テープで張り付ける構成となっている。また、大型の望遠レンズを取り付けた状態でもしっかりとハンドリングできるように外装筺体のグリップ部は高い剛性が求められており、本体のシャーシに外装筺体のグリップ部を外側からビス締結し、弾性ラバーによってビスを隠す構成となっている。
【０００３】
しかしながら、弾性ラバーは経年により手の脂やハンドクリームなどによる変形や剥がれが起きてしまう場合がある。
【０００４】
そこで、特許文献１にて、弾性部材と樹脂部材の二色成形により弾性部材の変形や剥がれを抑制することができるグリップが提案されている。
【０００５】
また、近年、一眼レフカメラを含むデジタルカメラは動画機能を有するものが普及してきている。これらのデジタルカメラに搭載される撮像素子と撮像素子からの出力を画像処理する画像処理回路は、撮像画像への電気的ノイズの影響を受けないように短い距離で接続する必要があり、かつ電子機器の薄型化も伴い近接配置されている。
【０００６】
そのため、動画撮影時の撮像素子自体が発生する熱とともに画像処理回路が発生する熱が撮像素子に伝わることで撮像素子の温度が上昇し、熱によるノイズ（以下、熱ノイズ）が撮像画像に発生しやすい。
【０００７】
そこで、特許文献２のように撮像素子と画像処理回路の熱をグラファイトシートなどの熱伝導性の高い部材を介して電子機器の金属シャーシや外観筺体の背面などへ放熱する構成が採られている。
【先行技術文献】
【特許文献】
【０００８】
【特許文献１】特開２００４−１１７８５９号公報
【特許文献２】特開２００９−１４５７６０号公報
【発明の概要】
【発明が解決しようとする課題】
【０００９】
しかし、上述の従来技術の二色成形によるグリップ構成は、外装筺体と本体シャーシを締結する前に二色成形によるグリップを外装筺体とビスで筺体内側から締結するため、外装筺体のグリップ部と本体シャーシをビスで締結できない構成となる。そのため、グリップ部の剛性が低下してしまう問題がある。また、撮像素子の高画素化や画像処理回路の高集積化、動画撮影機能の搭載により、撮像素子や画像処理回路が発生する熱は増加してきている。
【００１０】
そのため、上述の従来技術の金属シャーシや外観筺体の背面に放熱するだけでなく、筺体前面のグリップ部の方へ放熱する必要性が出てきているが、グリップ部の温度上昇はユーザーが触れるため、不快感を与えてしまうという問題がある。
【００１１】
そこで、本発明の目的は、二色成形グリップを有する構成においてグリップ部の剛性を向上させ、かつグリップ部を熱くすることなく、グリップの剛性を強くすることができるデジタルカメラを提供することにある。
【課題を解決するための手段】
【００１２】
上記の目的を達成するために、本発明に係るデジタルカメラは、
レンズユニットから結像された被写体像を撮像する撮像手段と、前記撮像手段の背面側に設けられ、該撮像手段からの出力を画像処理する画像処理回路を有する実装基板と、前記実装基板を固定し前記実装基板からの熱を放熱する金属部材である本体シャーシと、該本体シャーシと締結された外装筺体と、前記外装筺体と締結され、ユーザーが前記外装筺体を保持するためにグリップするグリップと、該グリップの剛性を保つためのグリップ保持プレートと、を有し、前記グリップ保持プレートの第１の接続箇所では前記外装筺体のみに接続し、第２の接続箇所では前記外装筺体および前記グリップと接続することを特徴とする。
【発明の効果】
【００１３】
本発明によれば、二色成形グリップ構成において、グリップ部を熱くすることなく、基板の熱をグリップ側に放熱でき、グリップの剛性があるデジタルカメラを提供することができる。
【図面の簡単な説明】
【００１４】
【図１】本発明に適用できるデジタルカメラ１の一例の構成を示すブロック図である。
【図２】（ａ）本発明に適用できるデジタルカメラ１の一例の正面斜視図である。（ｂ）本発明に適用できるデジタルカメラ１の一例の背面斜視図である。
【図３】本発明に適用できるデジタルカメラ１の一例の分解図である。
【図４】本発明に適用できるデジタルカメラ１のグリップ部の断面図である。
【発明を実施するための形態】
【００１５】
以下に、本発明の好ましい実施の形態を、添付の図面に基づいて詳細に説明する。
【００１６】
（第１の実施形態）
まず、図１、２を参照して、本発明の第１の実施形態の主な構成を説明する。
【００１７】
図１はデジタルカメラ１の内部構成を示すブロック図である。また、図２はデジタルカメラ１の外観図を示したもので、（ａ）は正面斜視図、（ｂ）は背面斜視図をそれぞれ示している。
【００１８】
デジタルカメラ１の正面にはレンズユニット２が設けられ、レンズユニット２から入射した光は、デジタルカメラ１の内部にある撮像手段３に結像するよう構成されている。撮像手段３はレンズユニット２の少なくとも光軸方向に位置調整可能に弾性部材もしくはワッシャを介してデジタルカメラ１の本体に保持されている。
【００１９】
レンズユニット２と撮像手段３の間には、光学ファインダー４へ光を反射するメインミラー５とシャッター６が配置されている。メインミラー５により反射された光は、焦点板７に結像されてペンタプリズム８により光学ファインダー４へ導かれるとともに、露出検出手段９へ分光される。また、メインミラー５はハーフミラーとなっており、透過した一部の光はメインミラー５に回動可能に取り付けられたサブミラー１０に反射され、焦点検出手段１１に入光する。
【００２０】
ユーザーがレリーズ釦１２を半押し（ＳＷ１）すると、露出検出手段９による測光、焦点検出手段１１による測距およびレンズユニット２内のレンズ駆動手段１３によるフォーカスレンズ１４の駆動が開始される。つぎにユーザーがレリーズ釦１２を全押し（ＳＷ２）すると、撮像手段３の前面に配置しているメインミラー５およびシャッター６が駆動し、レンズユニット２からの光が撮像手段３へ入光する。
【００２１】
そして、撮像手段３は電荷蓄積および電荷読み出し動作を開始させる露光動作を行う。そして、デジタルカメラ１の側面に設けられた画像記録読込手段１５に装着されている記録媒体１６に撮影画像を記録保存する。記録媒体１６に保存された画像は、デジタルカメラ１の背面の画像再生釦１７を押すことで、表示装置１８に表示される。
【００２２】
次に本実施形態のデジタルカメラ１は、デジタルカメラ１全体の制御を司るシステム制御回路１９を有する。システム制御回路１９は、ＣＰＵやＭＰＵ等により構成され、実装基板２０に設けられており、後述する各回路等の動作を制御する。
【００２３】
測距が開始されると、システム制御回路１９は焦点検出手段１１からの出力をもとにレンズ駆動手段１３を制御し、フォーカスレンズ１４を光軸方向に駆動して焦点合わせを行う。また、システム制御回路１９は露光制御部２１によりレンズユニット２内の絞り２２、メインミラー５、シャッター６およびタイミングジェネレータ２３を制御する。
【００２４】
メインミラー５はレンズから撮像手段３への光路より退避するアップ位置に駆動可能で、サブミラー１０もメインミラー５に対して折り畳まれて撮影光路外に退避する。シャッター６は、先幕および後幕を有して構成されており、レンズユニット２からの光束の透過および遮断を制御する。
【００２５】
測光が開始されると、システム制御回路１９は露出検出手段９からの出力とユーザーが事前に設定した撮影条件に応じて、絞りおよびシャッタースピードの値を決定する。撮影条件の設定方法については後述する。
【００２６】
レリーズ釦１２（ＳＷ２）により撮影動作が開始されると、システム制御回路１９は露光制御部２０により絞り２２を決定された値に制御する。また、システム制御回路１９は決定されたシャッタースピードに応じ露光制御部２１によりメインミラー５およびサブミラー１０をアップ／ダウン駆動させ、シャッター６の先幕および後幕の走行駆動を制御する。
【００２７】
また、システム制御回路１９は露光制御部２１によりタイミングジェネレータ２３から撮像手段３を駆動する際に必要なパルス信号を出力させる。撮像手段３は、タイミングジェネレータ２３から出力されたパルス信号に応じ電荷蓄積および電荷読み出し動作を行う。撮像手段３から読み出された電荷は、Ａ／Ｄ変換回路２４によりデジタル化され、画像処理回路２５へ送られる。送られた画像は、画像処理回路２５内の画像処理部２６によりホワイトバランス調整や画像圧縮処理等が行われ、記録制御部２７により画像記録読込手段１５を介し記録媒体１６に記録保存される。
【００２８】
記録媒体１６は一般的なＳＤカードやＣＦカードなどである。記録媒体１６に保存した撮影画像は、画像再生釦１７を押すことで画像記録読込手段１５により画像処理回路２５内の表示制御部２８に読み込まれ、表示装置１８に表示される。
【００２９】
なお、本実施形態においては、レンズユニット２はフォーカスレンズ１４のみの記載であるが、ズームレンズを有するものなどでもよく、一体型もしくは取替え可能な別体型の構成としてもよい。また、メインミラー５、サブミラー１０およびペンタプリズム８を省き、シャッター６を撮像手段３による電子シャッターとし、光学ファインダー４の代わりにＥＶＦ（電子ファインダー）もしくは表示装置１８に表示するＬＶモードの構成にしてもよい。このとき、露出検出手段９の代わりに撮像手段３が露出検出を行う。上述したこれらの構成に関しては公知であるため、詳細な説明は省略する。
【００３０】
次に、撮影条件の設定方法について説明する。
【００３１】
操作部材である撮影モード選択手段２９は撮影モードを設定することができ、例えば自動露出モード、絞り優先露出モード（Ａｖ）、シャッタースピード優先露出モード（Ｔｖ）、マニュアルモード（Ｍ）、バルブモード（Ｂ）を設定できる。自動露出モードに設定した場合は、ダイヤル操作部材である露出設定手段３０により撮影者が任意に適正露出を補正することができ、絞り値およびシャッタースピードは撮影時にその適正露出になるように自動で決定される。
【００３２】
絞り優先露出モード（Ａｖ）、シャッタースピード優先露出モード（Ｔｖ）、マニュアルモード（Ｍ）を設定した場合は、露出設定手段と操作部材を併用する絞り設定手段３１およびダイヤル操作部材であるシャッタースピード設定手段３２により、絞り値およびシャッタースピードを任意に設定できる。バルブモードを設定した場合は、レリーズ釦１２（ＳＷ２）を押すと撮影を開始し、レリーズ釦１２（ＳＷ２）を押している間は露光し続け、レリーズ釦１２（ＳＷ２）を離すと露光終了し、撮影中にシャッタースピードが決定できる。
【００３３】
次に、本実施形態の特徴である二色成形グリップのカメラの構成について、図３〜図５の二色成形グリップを設けたデジタルカメラ１の構成概略図を用いて説明する。
【００３４】
まず図３はデジタルカメラ１の分解構成図であり、撮像手段３の背面には実装基板２０が設けられており、実装基板には画像処理回路１９が実装されている。実装基板２０は本体シャーシ３３に接続されており、本体シャーシ３３は画像処理回路１９から発生する熱を放熱するために熱伝導率の高い金属材、例えばアルミ合金で構成されている。
【００３５】
次にデジタルカメラ１の前面側に設けられた外装筺体３４は、グリップ部にグリップ３５を別体で取り付けている。グリップ３５は、弾性部材３５ａと樹脂部材ｂの２色成形で構成されており、ユーザーがグリップする表面側に弾性部材３５ａを配置している。グリップ３５の弾性部材３５ａの材質は、樹脂との密着性がよい例えばエラストマーなどである。
【００３６】
また、グリップ部の剛性を高めるために、外装筺体３４のグリップ部の裏側にグリップ保持プレート３６を配置し、グリップ保持プレート３６は外装筺体３４および本体シャーシ３３と接続している。グリップ保持プレート３６は剛性のある金属材で構成されており、本体シャーシ３３からの熱がグリップ部へ伝わりすぎないように本体シャーシ３３より熱伝導率の低い材質、例えばステンレス鋼を用いている。
【００３７】
次に、図４はデジタルカメラ１のグリップ部の断面図である。
【００３８】
グリップ保持プレート３６は３６ａで本体シャーシ３３と接続しており、外装筺体３４とは３６ｂ，ｃで接続している。グリップ保持プレート３６と外装筺体３４との第１の接続部である３６ｂでは、本体シャーシ３３からの熱がグリップ３５に伝わらないように外装筺体３４とのみビスで締結されている。グリップ保持プレート３６と外装筺体３４との第２の接続部である３６ｃでは、グリップ部の剛性を高めるために外装筺体３４およびグリップ３５とビスで締結されている。
【００３９】
また、グリップ３５と外装筺体３４は熱が伝わらないように断熱性の高い空気層３７を設けている。
【００４０】
以上のように、本実施形態によれば、二色成形グリップ構成において、グリップ部を熱くすることなく、基板の熱をグリップ側に放熱でき、グリップの剛性があるカメラを提供することができる。
【符号の説明】
【００４１】
１  デジタルカメラ、２  レンズユニット、３  撮像手段、２０  実装基板、
２５  画像処理回路、３３  本体シャーシ、３４  外装筺体、３５  グリップ、
３６  グリップ保持プレート
【図１】
2017102357.tif 000003
【図２】
2017102357.tif 000004
【図３】
2017102357.tif 000005
【図４】
2017102357.tif 000006